(57)【要約】【課題】揺動選別板とは別体に設けた選別粒取出受樋およびこの選別粒取出受樋に設けた仕切板を、揺動選別板の板面角度に同調させて、選別性能を向上させた籾摺選別装置を提供する。【解決手段】籾ホッパ２に供給した原料穀粒を、籾ホッパ２の下方に有する籾摺ロール１１ｃで摺る籾摺部１１と、籾摺部１１で処理した穀粒を風選する風選部１２と、風選部１２で選別した穀粒をさらに選別する揺動選別部１８とを備え、揺動選別部１８の揺動選別板１８ｂの側方に、揺動選別板１８ｂとは別体に設け、内側に仕切板１８ｃ，１８ｄを立設した選別粒取出受樋３０を備え、仕切板１８ｃ，１８ｄを、揺動選別板１８ｂを揺動させる揺動機構４１に連結し、仕切板１８ｃ，１８ｄを揺動選別板１８ｂの板面角度に連動させるとともに、仕切板１８ｃ，１８ｄと、選別粒取出受樋３０とを分離可能に備えるものである。また、選別粒取出受樋３０を、透過性の部材で形成する。【選択図】図５
2009125621.tif 000002
【特許請求の範囲】
【請求項１】
籾ホッパに供給した原料穀粒を、前記籾ホッパの下方に有する籾摺ロールで摺る籾摺部と、
前記籾摺部で処理した穀粒を風選する風選部と、
前記風選部で選別した穀粒をさらに選別する揺動選別部と、を備え、
前記揺動選別部の揺動選別板の側方に、前記揺動選別板とは別体に設け、内側に仕切板を立設した選別粒取出受樋を備える籾摺選別装置において、
前記仕切板を、前記揺動選別板を揺動させる揺動機構に連結し、前記仕切板を前記揺動選別板の前記板面角度に連動させるとともに、前記仕切板と、前記選別粒取出受樋と、を分離可能に備えることを特徴とする籾摺選別装置。
【請求項２】
前記選別粒取出受樋を、透過性の部材で形成することを特徴とする、請求項１に記載の籾摺選別装置。
【発明の詳細な説明】
【技術分野】
【０００１】
本発明は、籾ホッパに供給した原料穀粒を、籾ホッパの下方に有する籾摺ロールで摺る籾摺部と、籾摺部で処理した穀粒を風選する風選部と、風選部で選別した穀粒をさらに選別する揺動選別部とを備え、揺動選別部の揺動選別板の側方に、揺動選別板とは別体に設け、内側に仕切板を立設した選別粒取出受樋を備える籾摺選別装置に関し、より詳細には、仕切板を、揺動選別板を揺動させる揺動機構に連結し、仕切板を揺動選別板の板面角度に連動させるとともに、仕切板と、選別粒取出受樋とを分離可能に備えることに関する。
【背景技術】
【０００２】
従来の籾摺選別装置には、揺動選別部に備える揺動選別板の排出側に設けられた側部カバーに、この揺動選別板で選別された穀粒を、籾、玄米（仕上米）および両者の混合米などに仕切る、仕切板を取付けたものがあるが、この仕切板が、揺動選別板の揺動に追従できないため、揺動選別された前記籾、玄米、混合米を確実に分配することができず、また不透明なカバーにより揺動選別板の内部を目視確認できないという問題もあった。そこで、揺動選別板の排出側であって、揺動選別板自体に前記仕切板を設けて、揺動選別された前記籾、玄米、混合米を分配するものがある。（例えば、特許文献１）
【０００３】
【特許文献１】特開平５−７６８４６号公報
【発明の開示】
【発明が解決しようとする課題】
【０００４】
しかし、特許文献１のような籾摺選別装置では、作動中に仕切板角度の調節を行う場合、揺動選別板が揺動しているため、作業者はその都度揺動選別板を停止して、仕切板の角度調節を行わなければならず、作業性が低下するといった問題があった。また、この仕切板の角度を、揺動選別部に別途設けられたモータを駆動させることにより調節するものもあるが、この場合、揺動選別部の重量が増加したり、コストアップするという問題があった。
そこで、この発明の目的は、揺動選別板とは別体に設置した選別粒取出受樋の内側に有する仕切板を、揺動選別板の板面角度に同調させて、仕切板角度をその都度調節する煩わしさを不要とするとともに、揺動選別板から排出された状態のままで、各選別穀粒を各樋を介して取り出し、選別性能を向上させた籾摺選別装置を提供することにある。
【課題を解決するための手段】
【０００５】
このため、請求項１に記載の発明は、籾ホッパに供給した原料穀粒を、前記籾ホッパの下方に有する籾摺ロールで摺る籾摺部と、前記籾摺部で処理した穀粒を風選する風選部と、前記風選部で選別した穀粒をさらに選別する揺動選別部と、を備え、前記揺動選別部の揺動選別板の側方に、前記揺動選別板とは別体に設け、内側に仕切板を立設した選別粒取出受樋を備える籾摺選別装置において、前記仕切板を、前記揺動選別板を揺動させる揺動機構に連結し、前記仕切板を前記揺動選別板の前記板面角度に連動させるとともに、前記仕切板と、前記選別粒取出受樋と、を分離可能に備えることを特徴とする。
【０００６】
請求項２に記載の発明は、前記選別粒取出受樋を、透過性の部材で形成することを特徴とする。
【発明の効果】
【０００７】
請求項１に記載の発明によれば、籾ホッパに供給した原料穀粒を、籾ホッパの下方に有する籾摺ロールで摺る籾摺部と、籾摺部で処理した穀粒を風選する風選部と、風選部で選別した穀粒をさらに選別する揺動選別部とを備え、揺動選別部の揺動選別板の側方に、揺動選別板とは別体に設け、内側に仕切板を立設した選別粒取出受樋を備える籾摺選別装置において、仕切板を、揺動選別板を揺動させる揺動機構に連結し、仕切板を揺動選別板の板面角度に連動させるとともに、仕切板と、選別粒取出受樋と、を分離可能に備えるので、仕切板を揺動させる駆動源を別途必要とせず、揺動選別板の揺動機構を用いて揺動選別板の板面角度に同調させて揺動させ、揺動選別板から排出された状態のままで、各選別穀粒を樋を介して取り出すことができるとともに、容易に仕切板を着脱することができる。従って、選別性能およびメンテナンス性を向上させた籾摺選別装置を提供することができる。
【０００８】
請求項２に記載の発明によれば、選別粒取出受樋を、透過性の部材で形成するので、装置側部の外方から樋の内部を目視することができ、樋内の詰まりの有無や、選別状態を容易に確認することができ、作業性を向上させた籾摺選別装置を提供することができる。
【発明を実施するための最良の形態】
【０００９】
以下図面を参照しつつ本発明を実施するための最良の形態について説明する。
図１は、この発明の一例としての籾摺選別装置の右側面図、図２は籾摺選別装置の平面図、図３は籾摺選別装置の背面図、図４は籾摺選別装置内部の側面模式図である。
【００１０】
この例の籾摺選別装置１は、図１〜図３に示すように、機体上部中央に籾ホッパ２と、この籾ホッパ２の側面視背面には、混合米揚穀機３と混合米タンク４が連設される。さらに機体前端には、籾殻排出筒５および機体後端に玄米揚穀機６が備えられ、玄米揚穀機６の上部後端に仕上米出口９が設けられている。また、機体下部には粃還元装置７と籾還元スロワ１６とが連設される。
【００１１】
そして、図４に示すように、主軸１１ａと副軸１１ｂとからなる籾摺ロール１１ｃを有する籾摺部１１の下方には、籾摺ロール１１ｃで籾摺され、得られた粃や玄米などの混合米（混合穀粒）が通過する風選路１２ａを有する風選部１２が配設される。この籾摺ロール１１ｃ下方であって、風選路１２ａ終端下部の機体前部（側面視左端）には混合米に吸引作用する吸引ファン１３、この吸引ファン１３の後部（側面視右隣）であって、籾摺ロール１１ｃの下方には、風選路１２ａから混合米中の小米を含む粃（中間穀粒）が落下する粃排出樋１４、さらに粃排出樋１４の後部には、混合米中の籾や玄米（選別穀粒）が落下する混合米受樋１５などが列設される。
【００１２】
混合米受樋１５に落下した籾や玄米を搬送する図示しない螺旋の搬送終端側は、側面視機体背面側に立設され、複数のバケット３ａを備える混合米揚穀機３に連通し、この混合米揚穀機３の揚穀終端側は混合米タンク４に連通されている。
【００１３】
さらに、混合米タンク４の下方には混合米を搬送する均分樋１７を有し、この均分樋１７の下方には揺動選別部１８が備えられる。この揺動選別部１８は、均分樋１７の搬送終端側に複数の流路からなる分配ケース１８ａや、この分配ケース１８ａの側方に有し、多段からなる揺動選別板１８ｂ、さらには揺動選別板１８ｂの左側方に設けられた、後述する本願発明の要部である、籾仕切板１８ｃ、玄米仕切板１８ｄなどから構成される。
【００１４】
揺動選別部１８の下方には、選別部１８の前部から順に籾用流路１９、混合米用流路２０、玄米用流路２１がそれぞれ配設される。そして、籾用流路１９の終端に有する返り籾入口部１６ａが、返り籾出口部１６ｂを介して側面視手前に備えられる図１に示す籾還元スロワ１６に連通され、この籾還元スロワ１６の上部は、籾摺部１１に連通される。また、混合米用流路２０と玄米用流路２１の間には玄米の機内循環と機外排出とを切り替える切替弁２２が設けられる。そして、機体後端には玄米用流路２１が下部に連設され、複数のバケット６ａを備える玄米揚穀機６が立設される。
【００１５】
なお、符号２３は、籾摺選別装置１を運転操作する操作盤で、装置各部を駆動制御する不図示のコントローラが内臓されている。
【００１６】
ここで、籾摺選別装置１を使用して籾摺作業を行うときは、籾ホッパ２に籾（原料穀粒）を供給し、操作盤２３の図示しないスイッチにより機体各部を駆動させ、籾ホッパ２底部に有する不図示のシャッタ板を開いて、籾摺ロール１１ｃに供給された籾が籾摺された後、落下した混合米は風選路１２ａで風選され、最も軽い籾殻は吸引ファン１３により吸引され、籾殻排出筒５を介して機外に排出される。
【００１７】
また、上記風選路１２ａで風選された比較的軽い粃（小米を含む）は、粃出口１４から排出され、粃還元装置７内に流入する。この粃還元装置７は本願発明の要部であり、詳細を後述するが、風選路１２ａに有する粃排出樋１４に連通される粃出口１４ａから風選部１２を背面に有する風選部枠８に沿って籾還元スロワ１６の背面に有する選別部１８からの返り籾入口部１６ａに向って斜設される。また、粃還元装置７下端部には駆動モータ２４が備えられており、この駆動モータ２４により粃還元装置７の胴部筒内に有する螺旋７ａが、粃出口１４ａと返り籾入口部１６ａとの間で駆動される。なお、図５では籾還元スロワ１６の底部一部分のみを記している。そして、粃出口１４ａから粃還元装置７内に流入した粃は、螺旋７ａにより返り籾入口部１６ａまで搬送される。一方、重量の重い玄米と籾摺を損ねた籾との混合米は受樋１５に落下し、混合米揚穀機３で揚穀されて混合米タンク４に供給された後、均分樋１７および分配ケース１８ａを介して揺動選別板１８ｂに供給される。
【００１８】
混合米は、揺動選別板１８ｂでの揺動により、小さく比重の重い玄米は揺上側に、また玄米よりも大きく比重の軽い籾は揺下側に、さらに中間部分には分離されない籾と玄米との混合米がそれぞれ偏流分布しながら選別される。
【００１９】
揺動選別板１８ｂで選別された玄米などの穀粒は、籾仕切板１８ｃと玄米仕切板１８ｄで仕切られ、揺動選別板１８ｂより排出される。このとき、切替弁２２は揺動選別板１８ｂ上での穀粒の偏流分布が不安定な際、混合米用流路２０と玄米用流路２１との間を連通させて、混合米と玄米を再度受樋１５に流入させるようにするが、揺動選別板１８ｂ上での穀粒の偏流分布が安定すると、混合米用流路２０と玄米用流路２１との間を遮断させるように切り替えられる。
【００２０】
その結果、混合米が混合米用流路２０に落下し、受樋１５を介して再度選別部１８に搬送され、玄米は玄米用流路２１から玄米揚穀機２３を介して機外に取り出される。また、返り籾（返り穀粒）は籾用流路１９から流入した返り籾入口部１６ａで、前述した粃搬送装置７によって搬送されてきた粃と合流し、これら籾および籾は、返り籾出口部１６ｂから籾還元スロワ１６を介して籾摺部１１に還元され、再度籾摺される。
【００２１】
次に、本願発明の特徴である揺動選別部の仕切板について、その具体的構成を説明する。図５は、選別粒取出受樋を備える揺動選別板に、仕切板の着脱を示す揺動選別部を後方から見た斜視図、図６は、選別粒取出受樋を備える揺動選別板に、仕切板を取付けた揺動選別部を後方から見た斜視図、図７は籾仕切板および玄米仕切板の構造を示す左側面模式図である。
【００２２】
まず、選別粒取出受樋３０は、図５に示すように、揺動選別板１８ｂ側の下部であって、揺動選別板１８ｂにおける左側方（図５の手前）、かつ下方に取付けられた略Ｖ字状の樋３１により、三つの通路に仕切られた構造を有し、樋３１の左側面は、例えば、ポリエチレンテレフタレートや、ポリカーボネート、アクリルなどプラスチック樹脂製（材質は限定されない）で透明性を有するカバー３２が取付けられる。なお、カバー３２下部の前後方向には、樋３１の通路を落下する各選別穀粒の籾用流路１９、混合米用流路２０および玄米用流路２１を接続し易くするための切込３３が施される。
【００２３】
また、揺動選別板１８ｂの下部には、揺動選別板１８ｂの板面角度を揺動変化させるための、駆動モータ４３に連結され、揺動選別板１８ｂを揺動させるロッド４２などから構成される揺動機構４１が取付けられる。なお、揺動機構４１は、特開平０９−３０８８６２号公報に開示したような周知技術であるため、詳細な説明は省略する。そして、選別粒取出受樋３０は、この選別粒取出受樋３０の前後（装置の前後方向）両端部から上方、かつ垂直に立設した前後ステー３４が、揺動選別板１８ｂにおける前後（装置の前後方向）の外枠３５の左側端部などに、ボルト締めなどで取付られる。
【００２４】
次に、選別粒取出受樋３０における前後ステー３４の前面および後面に、ボルト締めなどにより着脱自在に設けられる外枠３６の、揺動選別板１８ｂ側である内側下部であって、樋３１における略Ｖ字の前後上端部３１ａ，３１ｂに、前後支持板３５の高さに略等しい高さ、かつ選別粒取出受樋３０の前後ステー３４および外枠３６の左右幅に略等しい幅の、籾仕切板１８ｃ（仕切板）および玄米仕切板１８ｄ（仕切板）がそれぞれ前後に揺動可能に立設される。さらに、この籾仕切板１８ｃ（仕切板）および玄米仕切板１８ｄ（仕切板）の下部は、揺動機構４１のロッド４２から延設された一部不図示のロッド４４に連結される。
【００２５】
また、籾仕切板１８ｃおよび玄米仕切板１８ｄの下部には、図７に示すように、これら籾仕切板１８ｃおよび玄米仕切板１８ｄの回動支点軸３７が外枠３６の下部に取付けられるとともに、籾仕切板１８ｃおよび玄米仕切板１８ｄの下端部近傍に取付けられた籾仕切板１８ｃの摺動用のレバー３８および玄米仕切板１８ｄの摺動用のレバー３９が、外枠３６の下部から左側方（図の手前）に突設される。
【００２６】
さらに、外枠３６の左側方には、外枠３６に沿って、例えば、ポリエチレンテレフタレートや、ポリカーボネート、アクリルなどプラスチック樹脂製（材質は限定されない）で透明性を有する窓４０が覆設される。
【００２７】
そして、選別粒取出受樋３０における樋３１の前後上端部３１ａ，３１ｂに、外枠３６に設けられた籾仕切板１８ｃおよび玄米仕切板１８ｄそれぞれの下端部を積載させるとともに、選別粒取出受樋３０における前ステー３４の後面および後ステー３４の前面に、外枠３６における前端部の前面および後端部の後面を接合させて、ボルト締めなどにより選別粒取出受樋３０に籾仕切板１８ｃおよび玄米仕切板１８ｄを有する外枠３６が着脱自在に取り付けられる。
【００２８】
ここで、揺動選別板１８ｂを揺動させて、揺動選別板１８ｂに有する穀粒を選別する際、揺動選別板１８ｂは、揺動機構４１における駆動モータ４３の作動で、ロッド４２の摺動により機体前後方向に揺動されるが、籾仕切板１８ｃおよび玄米仕切板１８ｄも、ロッド４２から延設されるロッド４４の機体前後方向の摺動によって、揺動選別板１８ｂの機体前後方向に揺動する板面角度と同じ角度に揺動される。
【００２９】
そして、混合米タンク４から均分樋１７および分配ケース１８ａを介して揺動選別板１８ｂに供給された穀粒は、上述したように、小さく比重の重い玄米は揺上側に、また玄米よりも大きく比重の軽い籾は揺下側に、さらに中間部分には分離されない籾と玄米との混合米がそれぞれ偏流分布しながら選別され、揺動選別板１８ｂにおける左側部の排出側から、籾と混合米（籾と玄米とが混在）は、籾仕切板１８ｃにより仕切られ、それぞれ樋３１を介して籾用流路１９および混合米用流路２０に落下させるとともに、混合米と玄米は、玄米仕切板１８ｄにより仕切られ、それぞれ樋３１を介して混合米用流路２０および玄米用流路２１に落下させる。
【００３０】
このとき、籾仕切板１８ｃおよび玄米仕切板１８ｄが、揺動選別板１８ｂに同調して揺動するので、揺動選別板１８ｂにおける各選別板から排出された状態のままの各選別穀粒を、樋を介して籾用流路１９、混合米用流路２０および玄米用流路２１に落下させることができる。従って、各選別板から排出された各選別穀粒が、揺動選別板１８ｂの揺動に同調されない籾仕切板１８ｃおよび玄米仕切板１８ｄの位置により再び混合して各流路１９，２０，２１に落下することなく、確実に選別分取されるので、選別性能を向上させることができる。
【００３１】
また、例えば、揺動選別板１８ｂから選別排出された玄米の選別度をさらに上げたい場合など、選別揺動選別板１８ｂの排出側から排出され、樋３１を介して各流路１９，２０，２１に落下させる各選別穀粒量を変えたい場合には、籾仕切板１８ｃのレバー３８、または玄米仕切板１８ｄのレバー３９、もしくは双方のレバー３８，３９を前後方向に回動させることにより、それらの回動支点軸３７を中心として籾仕切板１８ｃあるいは玄米仕切板１８ｄを前後方向に摺動させて、各選別板から排出される選別穀粒の排出量を任意に変更することができる。なお、籾仕切板１８ｃおよび玄米仕切板１８ｄの摺動方法は上記に限定されない。
【００３２】
そして、籾仕切板１８ｃおよび玄米仕切板１８ｄを取付けた外枠が、揺動選別板１８ｂに取付けた選別粒取出受樋３０から着脱自在に備えられるため、籾仕切板１８ｃおよび玄米仕切板１８ｄや樋３１内、揺動選別板１８ｂなどのメンテナンス性を向上することができる。
【００３３】
さらに、選別粒取出受樋３０のカバー３２および、外枠３６の窓４０が透明性の部材から形成されるため、作業者は、籾摺選別装置１の左側方から揺動選別板１８ｂ内の各選別板間や、樋３１内部を目視することができ、樋３１内の詰まりの有無や、選別状態を容易に確認することができ、作業性を向上することができる。
【００３４】
このような構成にすることで、籾仕切板１８ｃおよび玄米仕切板１８ｄが、揺動選別板１８ｂの板面角度に連動するので、揺動選別板１８ｂにおける各選別板から排出された状態のままの各選別穀粒を、樋３１を介して籾用流路１９、混合米用流路２０および玄米用流路２１に落下させることができ、揺動選別板１８ｂで穀粒を確実に選別し、選別性能を向上させることができる。また、籾仕切板１８ｃおよび玄米仕切板１８ｄを取付けた外枠３６が、揺動選別板１８ｂに取付けた選別粒取出受樋３０に着脱自在に備えられるため、籾仕切板１８ｃおよび玄米仕切板１８ｄや樋３１内、揺動選別板１８ｂなどのメンテナンス性を向上することができる。さらには、選別粒取出受樋３０のカバー３２および、外枠３６の窓４０が透明性の部材から形成されるため、作業者は、籾摺選別装置１の左側方から揺動選別板１８ｂ内の各選別板間や、樋３１内部を目視することができ、樋内の詰まりの有無や、選別状態を容易に確認することができ、作業性を向上することができる。
【００３５】
なお、選別粒取出受樋３０や外枠３６、籾仕切板１８ｃおよび玄米仕切板１８ｄなどは、金属製であるが、材質は特に限定されない。
【００３６】
以上詳述したように、この例の籾摺選別装置１は、籾ホッパ２に供給した原料穀粒を、籾ホッパ２の下方に有する籾摺ロール１１ｃで摺る籾摺部１１と、籾摺部１１で処理した穀粒を風選する風選部１２と、風選部１２で選別した穀粒をさらに選別する揺動選別部１８とを備え、揺動選別部１８の揺動選別板１８ｂの側方に、揺動選別板１８ｂとは別体に設け、内側に仕切板１８ｃ，１８ｄを立設した選別粒取出受樋３０を備え、仕切板１８ｃ，１８ｄを、揺動選別板１８ｂを揺動させる揺動機構４１に連結し、仕切板１８ｃ，１８ｄを揺動選別板１８ｂの板面角度に連動させるとともに、仕切板１８ｃ，１８ｄと、選別粒取出受樋３０とを分離可能に備えるものである。加えて、選別粒取出受樋３０を、透過性の部材で形成する。
【図面の簡単な説明】
【００３７】
【図１】本発明の籾摺選別装置の一例を示す側面図である。
【図２】籾摺選別装置の平面図である。
【図３】籾摺選別装置の背面図である。
【図４】籾摺選別装置の内部構造を示す側面模式図である。
【図５】選別粒取出受樋を備える揺動選別板に、仕切板の着脱を示す揺動選別部を後方から見た斜視図である。
【図６】選別粒取出受樋を備える揺動選別板に、仕切板を取付けた揺動選別部を後方から見た斜視図である。
【図７】籾仕切板および玄米仕切板の構造を示す左側面模式図である。
【符号の説明】
【００３８】
１    籾摺選別装置
４    混合米タンク
１８    揺動選別部
１８ｂ    揺動選別板
１８ｃ    籾仕切板
１８ｄ    玄米仕切板
３０    選別粒取出受樋
３１    樋
３１ａ，３１ｂ    前後上端部
３２    カバー
３３    切込
３４    前後ステー
３５    前後支持板
３６    外枠
３７    回動支点軸
３８，３９    レバー
４０    窓
４１    揺動機構
４２，４４    ロッド
４３    駆動モータ
【図１】
2009125621.tif 000003
【図２】
2009125621.tif 000004
【図３】
2009125621.tif 000005
【図４】
2009125621.tif 000006
【図５】
2009125621.tif 000007
【図６】
2009125621.tif 000008
【図７】
2009125621.tif 000009